【手続補正書】
【提出日】平成28年6月8日(2016.6.8)
【手続補正１】
【補正対象書類名】特許請求の範囲
【補正対象項目名】全文
【補正方法】変更
【補正の内容】
【特許請求の範囲】
【請求項１】
相変化材料を含んでいる表面上における流動物質の流動を容易にする方法であって、前記方法は、
前記流動物質の温度よりも低い融解温度および／または昇華温度を（動作圧力において）有する相変化材料を含んでいる表面を提供することと、
前記表面上に前記流動物質を導入し、それによって、前記相変化材料の少なくとも一部分を第１の状態から第２の状態に局所的に転移させ、それによって、前記流動物質と前記表面との間に潤滑中間層を形成することと
を含んでいる、方法。
【請求項２】
前記表面は、前記相変化材料で含浸させられ、前記表面は、特徴のマトリックスを含み、前記特徴のマトリックスは、前記特徴間または前記特徴内に前記相変化材料を安定的に含有するために十分近い間隔で配列されている、請求項１に記載の方法。
【請求項３】
前記流動物質は、液滴である、請求項１に記載の方法。
【請求項４】
前記流動物質は、動作条件において固体である、請求項１に記載の方法。
【請求項５】
前記流動物質は、動作条件において液体である、請求項１に記載の方法。
【請求項６】
前記流動物質は、液体流である、請求項１に記載の方法。
【請求項７】
前記流動物質は、液滴流である、請求項１に記載の方法。
【請求項８】
前記表面は、基材上のコーティングである、請求項１〜７のいずれか１項に記載の方法。
【請求項９】
周囲ガスは、前記相変化材料の前記融解温度および／または昇華温度よりも低い温度を有し、その結果、前記相変化材料は、前記流動物質と接触している位置以外の位置において前記第１の状態のままである、請求項１〜８のいずれか１項に記載の方法。
【請求項１０】
前記表面は、チャネルを形成し、前記チャネルの上を（または前記チャネルを通って）前記流動物質が流動する、請求項１〜９のいずれか１項に記載の方法。
【請求項１１】
生物学的物質を前記液滴内に封入するステップをさらに含んでいる、請求項３または７に記載の方法。
【請求項１２】
前記生物学的物質は、ＤＮＡおよび／またはＲＮＡを含んでいる、請求項１１に記載の方法。
【請求項１３】
前記液滴は、０．１  ｐＬ〜１０００  ｐＬの範囲にある体積を有する、請求項３、７、１１または１２に記載の方法。
【請求項１４】
前記相変化材料の供給を補充することをさらに含んでいる、請求項１〜１３のいずれか１項に記載の方法。
【請求項１５】
前記相変化材料は、前記第１の状態において液体または固体であり、前記第２の状態において蒸気である、請求項１〜１４のいずれか１項に記載の方法。
【請求項１６】
前記相変化材料は、ケロシン、ジクロロメタン、アセトン、エタノール、ヨウ素およびナフタレンから選択される液体である、請求項１〜１５のいずれか１項に記載の方法。
【請求項１７】
前記相変化材料は、ドライアイスである、請求項１〜１６のいずれか１項に記載の方法。
【請求項１８】
前記相変化材料は、ショウノウおよび乾燥窒素から選択される固体である、請求項１〜１７のいずれか１項に記載の方法。
【請求項１９】
前記流動物質の体積は、輸送中、一定のままである、請求項１〜１８のいずれか１項に記載の方法。
【請求項２０】
前記第１の状態および前記第２の状態における前記相変化材料は、前記流動物質と非反応性かつ不混和性である、請求項１〜１９のいずれか１項に記載の方法。
【請求項２１】
前記表面は、マイクロテクスチャ加工されている、請求項１〜２０のいずれか１項に記載の方法。
【請求項２２】
前記表面は、選択されたパターンに配置された少なくとも１つの前記相変化材料を含んでいて、前記流動物質は、前記選択されたパターンに従って前記表面の上を流動する、請求項１〜２１のいずれか１項に記載の方法。
【請求項２３】
前記パターンは、Ｖ字形状パターンであり、前記方法は、第２の流動物質を前記表面上に導入することをさらに含み、前記流動物質および前記第２の流動物質は、前記Ｖ字形状パターンの異なる枝道に沿って流動し、前記流動物質および前記第２の流動物質は、前記Ｖ字形状パターンの頂点で合流する、請求項２２に記載の方法。
【請求項２４】
前記流動物質は、輸送中、前記第２の状態における前記相変化材料のみと接触している、請求項１〜２３のいずれか１項に記載の方法。
【請求項２５】
前記流動物質は、前記相変化材料の融点および／または昇華点よりも高い融点および／または昇華点を有する液体である、請求項１〜２、６、８〜１０、または、１４〜２４のいずれか１項に記載の方法。
【手続補正２】
【補正対象書類名】明細書
【補正対象項目名】００２３
【補正方法】変更
【補正の内容】
【００２３】
本発明の所与の局面に関して記載した実施形態の要素を、本発明の別の局面の様々な実施形態で使用してもよい。例えば、ある独立請求項に従属する従属請求項の特徴を、他の独立請求項のいずれかの装置および／または方法で用いることができると考えられる。
本発明は、例えば、以下を提供する。
（項目１）
相変化材料を含んでいる表面上における流動物質の流動を容易にする方法であって、前記方法は、
前記流動物質の温度よりも低い融解温度および／または昇華温度を（動作圧力において）有する相変化材料を含んでいる表面を提供することと、
前記表面上に前記流動物質を導入し、それによって、前記相変化材料の少なくとも一部分を第１の状態から第２の状態に局所的に転移させ、それによって、前記流動物質と前記表面との間に潤滑中間層を形成することと
を含んでいる、方法。
（項目２）
前記表面は、前記相変化材料で含浸させられ、前記表面は、特徴のマトリックスを含み、前記特徴のマトリックスは、前記特徴間または前記特徴内に前記相変化材料を安定的に含有するために十分近い間隔で配列されている、項目１に記載の方法。
（項目３）
前記流動物質は、液滴である、項目１に記載の方法。
（項目４）
前記流動物質は、動作条件において固体である、項目１に記載の方法。
（項目５）
前記流動物質は、動作条件において液体である、項目１に記載の方法。
（項目６）
前記流動物質は、液体流である、項目１に記載の方法。
（項目７）
前記流動物質は、液滴流である、項目１に記載の方法。
（項目８）
前記表面は、基材上のコーティングである、前記項目のいずれか１項に記載の方法。
（項目９）
周囲ガスは、前記相変化材料の前記融解温度および／または昇華温度よりも低い温度を有し、その結果、前記相変化材料は、前記流動物質と接触している位置以外の位置において実質的に前記第１の状態のままである、前記項目のいずれか１項に記載の方法。
（項目１０）
前記表面は、チャネルを形成し、前記チャネルの上を（または前記チャネルを通って）前記流動物質が流動する、前記項目のいずれか１項に記載の方法。
（項目１１）
生物学的物質を前記液滴内に封入するステップをさらに含んでいる、項目３または７に記載の方法。
（項目１２）
前記生物学的物質は、ＤＮＡおよび／またはＲＮＡを含んでいる、項目１１に記載の方法。
（項目１３）
前記液滴は、０．１  ｐＬ〜１０００  ｐＬの範囲にある体積を有する、項目３、７、１１または１２に記載の方法。
（項目１４）
前記相変化材料の供給を補充することをさらに含んでいる、前記項目のいずれか１項に記載の方法。
（項目１５）
前記相変化材料は、前記第１の状態において液体または固体であり、前記第２の状態において蒸気である、前記項目のいずれか１項に記載の方法。
（項目１６）
前記相変化材料は、ケロシン、ジクロロメタン、アセトン、エタノール、ヨウ素およびナフタレンから選択される液体である、前記項目のいずれか１項に記載の方法。
（項目１７）
前記相変化材料は、ドライアイスである、前記項目のいずれか１項に記載の方法。
（項目１８）
前記相変化材料は、ショウノウおよび乾燥窒素から選択される固体である、前記項目のいずれか１項に記載の方法。
（項目１９）
前記流動物質の体積は、輸送中、一定のままである、前記項目のいずれか１項に記載の方法。
（項目２０）
前記第１の状態および前記第２の状態における前記相変化材料は、前記流動物質と非反応性かつ不混和性である、前記項目のいずれか１項に記載の方法。
（項目２１）
前記表面は、マイクロテクスチャ加工されている、前記項目のいずれか１項に記載の方法。
（項目２２）
前記表面は、選択されたパターンに配置された少なくとも１つの前記相変化材料を含んでいて、前記流動物質は、前記選択されたパターンに従って前記表面の上を流動する、前記項目のいずれか１項に記載の方法。
（項目２３）
前記パターンは、略Ｖ字形状パターンであり、前記方法は、第２の流動物質を前記表面上に導入することをさらに含み、前記流動物質および前記第２の流動物質は、前記略Ｖ字形状パターンの異なる枝道に沿って流動し、前記流動物質および前記第２の流動物質は、前記略Ｖ字形状パターンの頂点で合流する、項目２２に記載の方法。
（項目２４）
前記流動物質は、輸送中、前記第２の状態における前記相変化材料のみと接触している、前記項目のいずれか１項に記載の方法。
（項目２５）
前記流動物質は、前記相変化材料の前記融点および／または昇華点よりも高い融点および／または昇華点を有する液体である、項目１〜２、６、８〜１０、または、１４〜２４のいずれか１項に記載の方法。